(57)【要約】【課題】効果的なセルライトの解消を可能にした生体刺激装置を提供する。【解決手段】吸引カップ１は、生体表面に密着してこの生体を吸引する。吸引カップ１には、電気刺激電極１４が固定して設けられ、また磁気刺激手段としての永久磁石１５が回動自在に設けられる。したがって、電気刺激電極１４からのイオン導入等を含む低周波や高周波の電気刺激と、永久磁石１５からの磁気刺激が、生体の皮膚及び皮下組織を刺激して、筋運動や血行促進により刺激部位の基礎代謝を上げる。それと同時に、吸引カップ１により吸引された生体部位の物理的刺激により、生体の皮膚及び皮下組織をさらに刺激し、効果的にセルライトを解消できる。【選択図】図２
2011045610.tif 000002
【特許請求の範囲】
【請求項１】
生体表面に密着して当該生体を吸引する吸引カップに、電気刺激手段を固定して設けると共に、磁気刺激手段を回動自在に設けたことを特徴とする生体刺激装置。
【請求項２】
前記吸引カップが、一端を排気手段に接続し他端を開口した中空部と、前記中空部の他端周囲にあって前記生体表面に密着する周辺部とを備え、前記磁気刺激手段を前記周辺部に沿って配置することを特徴とする請求項１記載の生体刺激装置。
【請求項３】
前記電気刺激手段を前記周辺部若しくはその近傍に配置したことを特徴とする請求項１または２記載の生体刺激装置。
【請求項４】
前記排気手段と前記中空部との間に設けた排気経路に、交換可能なエアフィルタを備えたことを特徴とする請求項２記載の生体刺激装置。
【請求項５】
前記中空部と前記排気経路との間に永久磁石による連結部を設け、前記排気経路を前記中空部から取り外したときに前記エアフィルタを交換できる構成としたことを特徴とする請求項４記載の生体刺激装置。
【請求項６】
前記吸引カップの吸引圧を開放する第１の弁手段を前記吸引カップの外部に配設し、前記第１の弁手段を操作する操作体を、前記電気刺激手段に接続する信号路に共用して設けたことを特徴とする請求項２記載の生体刺激装置。
【請求項７】
前記排気手段により吸引した空気の貯留部を、前記排気手段と前記中空部との間に設けた排気経路に配設すると共に、前記貯留部の吸引圧を維持するように前記排気経路を封止する第２の弁手段を設け、この第２の弁手段は、前記排気手段を動作させるときに、前記排気経路の封止を解除して、前記貯留部と前記吸引カップとを連通させるものであることを特徴とする請求項２記載の生体刺激装置。
【請求項８】
前記吸引カップを透明もしくは半透明の素材で構成することを特徴とする請求項１〜７のいずれか一つに記載の生体刺激装置。
【発明の詳細な説明】
【技術分野】
【０００１】
本発明は、セルライト（肥大化した皮下の脂肪細胞等）を効果的に解消するための生体刺激装置に関する。
【背景技術】
【０００２】
一般に、美容装置等として使用され、内部を真空状態になされた筐体の吸引口を生体表面の皮膚に押し当てて移動させ、加熱手段で患部を温めつつ、真空ポンプとローラによって吸引マッサージを行うことにより、生体内のセルライトを除去する脂肪除去装置が、例えば特許文献１などに開示されている。
【先行技術文献】
【特許文献】
【０００３】
【特許文献１】特開２００５−２９６０４２号公報
【発明の概要】
【発明が解決しようとする課題】
【０００４】
特許文献１に記載された脂肪除去装置は、筐体下面に設けられたローラにより、筐体の吸引口を生体表面に押し当てたときに、ローラの回転の方向に沿って筐体が移動可能なようになされており、特にローラを軸支する回転板を回動自在にすることで、筐体をどの方向にも自由に移動させることができる構成となっている。
【０００５】
しかしながら、単に吸引手段で患部を吸引してマッサージを行いつつ、筐体を自由に動かしながら加熱手段で体内のセルライトを柔らかくするだけでは、効果的なセルライトの除去効果が得られないといった不満があった。
【０００６】
本発明は、上記問題点を解決しようとするものであり、効果的なセルライトの解消を可能にした生体刺激装置を提供することを目的とする。
【課題を解決するための手段】
【０００７】
本発明の請求項１の生体刺激装置は、生体表面に密着して当該生体を吸引する吸引カップに、電気刺激手段を固定して設けると共に、磁気刺激手段を回動自在に設けたことを特徴とする。
【０００８】
この場合、電気刺激手段からのイオン導入等を含む低周波や高周波の電気刺激と、磁気刺激手段からの磁気刺激が、生体の皮膚及び皮下組織を刺激することで、筋運動や血行促進により刺激部位の基礎代謝を上げると同時に、吸引カップにより吸引された生体部位の物理的刺激により、生体の皮膚及び皮下組織をさらに刺激し、効果的にセルライトを解消することができる。
【０００９】
本発明の請求項２の生体刺激装置は、前記吸引カップが、一端を排気手段に接続し他端を開口した中空部と、前記中空部の他端周囲にあって前記生体表面に密着する周辺部とを備え、前記磁気刺激手段を前記周辺部に沿って配置することを特徴とする。
【００１０】
この場合、使用時に吸引カップの周辺部を生体表面に密着させて生体を吸引すると、回動自在な磁気刺激手段が必ず生体表面に当接することになり、磁気刺激手段からの磁気刺激を生体に効果的に与えつつ、回動する磁気刺激手段によって吸引カップを常にどの方向にも自由に移動させることができる。
【００１１】
本発明の請求項３の生体刺激装置は、前記電気刺激手段を前記周辺部若しくはその近傍に配置したことを特徴とする。
【００１２】
この場合、使用時に吸引カップの周辺部を生体表面に密着させて生体を吸引すると、電気刺激手段も密着若しくはその近傍に位置することになり、電気刺激手段からの電気刺激を生体に効果的に与えることが可能になる。
【００１３】
本発明の請求項４の生体刺激装置は、前記排気手段と前記中空部との間に設けた排気経路に、交換可能なエアフィルタを備えたことを特徴とする
この場合、排気手段を動作させて、エアフィルタでゴミやオイル，皮脂，体毛等の異物を除去しながら、吸引カップが生体を吸引することにより、吸引不良や故障の頻度を大幅に減少させることができる。また、前記エアフィルタを交換可能にすることで、異物がつまって吸引能力が低下するのを防ぐことができ、長期間に渡り良好なフィルタ能力を維持できる。
【００１４】
本発明の請求項５の生体刺激装置は、前記中空部と前記排気経路との間に永久磁石による連結部を設け、前記排気経路を前記中空部から取り外したときに前記エアフィルタを交換できる構成としたことを特徴とする。
【００１５】
この場合、中空部と排気経路との脱着機構を簡素化することができ、部品の点数を減らすことができる。また、排気経路を中空部から取り外すだけで、その取り外した部分の清掃やエアフィルタの交換作業を容易に行うことが可能になる。
【００１６】
本発明の請求項６の生体刺激装置は、前記吸引カップの吸引圧を開放する第１の弁手段を前記吸引カップの外部に配設し、前記第１の弁手段を操作する操作体を、前記電気刺激手段に接続する信号路に共用して設けたことを特徴とする。
【００１７】
この場合、吸引カップ内に複雑で故障しやすい機械的な第１の弁手段を設けることなく、吸引カップとしての信頼性を高めることができる。また操作体を適宜操作すれば、電気刺激手段に接続する信号路を通じて第１の弁手段を動作させ、吸引カップ内の吸引圧を速やかに開放することができる。
【００１８】
本発明の請求項７の生体刺激装置は、前記排気手段により吸引した空気の貯留部を、前記排気手段と前記中空部との間に設けた排気経路に配設すると共に、前記貯留部の吸引圧を維持するように前記排気経路を封止する第２の弁手段を設け、この第２の弁手段は、前記排気手段を動作させるときに、前記排気経路の封止を解除して、前記貯留部と前記吸引カップとを連通させるものであることを特徴とする。
【００１９】
この場合、第１の弁手段で吸引カップの吸引圧を開放したときに、別な第２の弁手段が排気通路を封止して、貯留部を気圧の低い状態で維持し、その後で排気手段を動作させるときに、第２の弁手段によって貯留部と吸引カップとを連通させることで、貯留部の負圧を利用して吸引カップによる吸引圧の立ち上がりを高速にすることができる。
【００２０】
本発明の請求項８の生体刺激装置は、前記吸引カップを透明もしくは半透明の素材で構成することを特徴とする。
【００２１】
この場合、吸引カップを通して生体の吸着状態を目視で確認しながら施術することで、吸引レベルが適正であるか否かを容易に判断できる。また、その判断に基づいて吸引レベルを調整できれば、施術効率を向上させることができる。
【発明の効果】
【００２２】
請求項１の発明によれば、効果的なセルライトの解消を可能にした生体刺激装置を提供できる。
【００２３】
請求項２の発明によれば、磁気刺激を生体に効果的に与えつつ、吸引カップを常にどの方向にも自由に移動させることができる。
【００２４】
請求項３の発明によれば、電気刺激を生体に効果的に与えることが可能になる。  請求項４の発明によれば、吸引カップと排気経路の連結部に永久磁石を配置して、脱着を簡素化しつつ、連結部の確実な連結を実現している。
【００２５】
また、脱着を簡素化することにより、エアフィルタの交換がより容易になっている。
【００２６】
請求項５の発明によれば、吸引の中断時、停止時に、排気経路開放手段で排気経路を開放することで、瞬時に吸引カップ内の気圧を大気圧に戻すことができる。
【００２７】
請求項６の発明によれば、排気経路開放手段で排気経路を開放したときに、排気経路封止手段で排気経路を封止することで、貯留部を気圧の低い状態で維持し、吸引の再開時に素早く吸引することができる。
【００２８】
請求項７の発明によれば、吸引カップの一部または全部を透明もしくは半透明の素材で構成することにより、吸引カップ内での生体の吸着状態が確認できる。
【図面の簡単な説明】
【００２９】
【図１】本発明の一実施例を示す生体刺激装置の概略図である。
【図２】本発明の一実施例を示す生体刺激装置の吸引カップの概略図及び断面図である。
【図３】本発明の一実施例を示す生体刺激装置の吸引カップと排気経路の連結部の概略図である。
【図４】本発明の一実施例を示す生体刺激装置の制御系統図である。
【発明を実施するための形態】
【００３０】
以下、本発明における生体刺激装置の実施例について、添付図を参照して詳細に説明する
【実施例１】
【００３１】
図１は本発明における生体刺激装置の全体構成の一例を示すもので、前記生体刺激装置は、中空構造の吸引カップ１と、吸引カップ１の中空部（図２の符号１１）から空気を排気する排気手段としてのポンプ３と、吸引カップ１とポンプ３との間を接続し、排気される空気の通路となる排気経路４と、吸引カップ１の中空部の吸引圧を瞬時に開放できる第１の弁手段としての開放用電磁バルブ５と、排気経路４の途中に設けられ、この排気経路４を開放または閉鎖する第２の弁手段としての封止用電磁バルブ６と、後述する電気刺激電極１４やポンプ３の動作の他に、開放用電磁バルブ５や封止用電磁バルブ６の開閉を制御する制御手段７と、制御手段７を操作するための操作手段（図４の符号３５）と、ポンプ３，排気経路４の一部，開放用電磁バルブ５，封止用電磁バルブ６，および制御手段７を収容する箱状の本体２と、から構成される。ここでの吸気カップ１は、好ましくはその一部もしくは全部が、透明または半透明の素材で形成される。
【００３２】
また図１において、管状をなす排気経路４の途中には、排気経路４よりも大きな管径の貯留部としての空気溜り８と、分岐経路９の一端を接続する連結器１０がそれぞれ設けられる。空気溜り８は、封止用電磁バルブ６とポンプ３との間の排気経路４に設けられる一方、分岐経路９の一端は、封止用電磁バルブ６と吸引カップ１との間の排気経路４に設けられる。分岐経路９の途中には、この分岐経路９を開放または閉鎖する前記開放用電磁バルブ５が設けられ、分岐経路９の他端が本体２の排気口２Ａに接続して、本体２外部の外気（大気圧）と常時連通している。したがって、開放用電磁バルブ５によって分岐経路９を開放すると、吸引カップ１内と本体２の外部が同じ気圧になり、吸引カップ１の吸引圧が開放されるようになっている。
【００３３】
次に、吸引カップ１の構成を図２に基づき詳しく説明すると、吸引カップ１は手で保持しやすいように椀状の外観形状を有し、その一端すなわち基端が排気経路４を介してポンプ３に接続され、他端すなわち先端が開口した中空部１１を内部に備えている。この中空部１１の開口１１Ａを取り囲むように、ほぼ平坦な端面１２Ａを有する周辺部１２が、吸引カップの気密確保用の縁端部として形成される。さらに周辺部１２は有底カップ状のカップ本体１３と一体的に形成され、これらの周辺部１２とカップ本体１３とにより、吸引カップ１の外郭部材を形成している。そして、周辺部１２の端面１２Ａを生体表面に押し付けて、端面１２Ａと生体表面を密着させると、中空部１１の開口１１Ａが生体表面によって塞がれ、その状態でポンプ３を動作させて、中空部１１内の空気を排気経路４から外部に排気すると、中空部１１内の圧力が低下して、吸引カップ１が生体表面を吸引するようになっている。
【００３４】
前記周辺部１２には、電気刺激手段としての電気刺激電極１４と、磁気刺激手段としての永久磁石１５とを配置している。電気刺激電極１４は、前記制御手段７から信号路に相当する信号線２２を通して電気刺激信号が与えられるもので、ポンプ３により中空部１１が排気され、吸引カップ１が生体表面を吸引したときに、その生体表面に確実に密着できるように、周辺部１２若しくはその近傍に設置される。本実施例では、端面１２Ａと面一となるように、複数の平板状の電気刺激電極１４が露出して設けられているが、その形状や個数については特に限定されない。また、吸引カップ１の周辺部１２そのものを、金属などの導電性物質からなる電気刺激電極１４で構成してもよい。
【００３５】
一方、本実施例では各々の永久磁石１５が何れも球形の形状を有し、カップ状に形成された周辺部１２に沿って、その表面が端面１２Ａから一部突出するように回動自在に設けられる。ここでの永久磁石１５は、例えば周辺部１２とカップ本体１３を別部材に構成して、これらの部材と共に取り付けられるようにしてもよく、また永久磁石１５を吸着できる強磁性体の部材からなる周辺部１２に穴を開け、そこに永久磁石１５を設置して、永久磁石１５が落ちないように構成してもよい。また、永久磁石１５の形状についても、周辺部１２に対して回転自在に設置できる形状であれば、球形でなくてもよい。
【００３６】
また、磁力の強さを制御するために、前記磁気刺激手段を電磁石と該電磁石により磁化される強磁性体とで構成してもよい。こうすると、前記電磁石に流す電流を制御することで、前記磁気刺激手段の磁気刺激の強さを制御できる。また、前記強磁性体が回転自在に設置されていれば、前記電磁石は回転自在でなくてよい。
【００３７】
２１は、吸引カップ１と本体２とを連結する連結体としてのエアホースである。このエアホース２１は、吸引カップ１を手で持って自由に移動できるようにするために、可撓性を有する部材で構成され、前述した排気通路４の他に、電気刺激電極１４に接続する信号線２２が内部に挿通される。また信号線２２の例えばアース線を共用して、エアホース２１の先端部には、操作体としての始動・停止スイッチ２３が押動可能に設けられる。
【００３８】
２５は、エアホース２１の先端部に固定して設けられ、吸引カップ１に着脱可能な形状を有するキャップ体である。このキャップ体２５はスリーブ状で、エアホース２１よりも硬質な部材で形成される。前記始動・停止スイッチ２３は、操作がし易いようにキャップ体２５の側部外方に突出して設けられる。キャップ体２５の先端にはエアフィルタ２６が交換可能に設けられているが、このフィルタ２６はメッシュ状で、吸引カップ１から排気経路４を経てポンプ３に吸い込まれる空気中の異物を除去する機能を有する。特に本実施例では、図３に示すように、吸引カップ１からエアホース２１を含めたキャップ体２５を取り外したときに、キャップ体２５の先端に装着したエアフィルタ２６を取り外して、新しいフィルタ２６に交換できる構成となっており、エアフィルタ２６は着脱が容易なようにキャップ体２５の先端に係合または嵌合される。
【００３９】
図３において、吸引カップ１とエアホース２１のキャップ体２５は、永久磁石からなる連結部２７の磁力を利用して連結される。連結部２７は、吸引カップ１とキャップ体２５の両方に設けてもよいし、吸引カップ１またはキャップ体２５の一方の部材が磁性体であれば、他方の部材にのみ連結部２７を設けてもよい。いずれにせよ、連結部２７によって吸引カップ１とエアホース２１を着脱可能にできれば、無理な力を加えずに吸引カップ１をエアホース２１から簡単に着脱でき、吸引カップ１およびエアホース２１の清掃や、エアフィルタ２６の交換作業を容易にできる。
【００４０】
図４は、制御系統の構成を示す図である。同図において、本体２内に設けられる制御手段７は、例えばマイクロコンピュータなどで構成され、その入力側には操作手段３５を構成する前記始動・停止スイッチ２３の他に、電気刺激や磁気刺激の度合い（強度，周波数など）を設定する設定スイッチ２８が接続される一方で、出力側には、前述した排気手段としてのポンプ３と、第１の弁手段としての開放用電磁バルブ５と、第２の弁手段としての封止用電磁バルブ６と、電気刺激手段としての電気刺激電極１４と、必要に応じて磁気刺激手段としての電磁石２９が接続される。また制御手段７には、始動・停止スイッチ２３や設定スイッチ２８の操作結果に基づき、前記出力側に接続した各部を制御する制御部として、ポンプ３の動作を制御する排気手段制御部３０と、開放用電磁バルブ５の動作を制御する開放用バルブ制御部３１と、封止用電磁バルブ６の動作を制御する開放用バルブ制御部３２と、電気刺激電極１４に出力する刺激信号を制御する電気刺激制御部３３と、電磁石２９に出力する刺激信号を制御する磁気刺激制御部３４をそれぞれ備えている。また図示しないが、ポンプ３やバルブ５，６の起動および停止タイミングを設定するために、時刻をカウントするタイマ手段を内蔵してもよい。
【００４１】
次に、上記構成の生体刺激装置の動作について図４を用いて説明する。
【００４２】
吸引カップ１の開口１１Ａを生体表面に向け、周辺部１２の端面１２Ａを生体表面に軽く押し当てて、当該生体表面により開口１１Ａを閉塞する。この状態から操作手段３５を構成する始動・停止スイッチ２３を押動操作すると、制御手段７の開放用電磁バルブ制御部３１が、開放用電磁バルブ５を閉状態にして分岐経路９を閉鎖する一方で、別な封止用電磁バルブ制御部３２が、封止用電磁バルブ６を開状態にして排気経路４を開放し、それと共に排気手段制御部３０がポンプ３を動作開始させ、排気経路４を通して中空部１４内の空気を本体２の外部に排出する。これにより、吸引カップ１の中空部１１内の圧力が低くなることにより、開口１１Ａに面した生体の皮膚が吸引され、電気刺激電極１４に密着する。また、ポンプ３が動作することに伴い、吸引カップ１の中空部１１のみならず、排気経路４の途中に設けた空気溜り８の内圧も低下する。
【００４３】
このとき、電気刺激制御部３３から電気刺激電極１４に対し、電気刺激を与えるための電圧を刺激信号として印加することで、電気刺激手段１８からの低周波や高周波の電気刺激（イオン導入等を含む）が生体に与えられる。また、生体表面には複数の永久磁石１５が密着して、その永久磁石１５から生体に磁力すなわち磁気刺激が与えられる。こうした電気刺激と磁気刺激を、周辺部の端面１２Ａに密着させた生体表面に対し集中的に与えることで、その生体の皮膚及び皮下組織を刺激し、筋運動や血行促進により刺激部位の基礎代謝を上げることができる。さらに、前記ポンプ３を動作させることで引き上げられた生体部位の物理的刺激によって、皮膚及び皮下組織がさらに刺激され、効果的にセルライトを解消することができる。
【００４４】
なお、電気刺激制御部３３から電気刺激電極１４に与えられる刺激信号の振幅，周波数，印加タイミングなどは、予め設定スイッチ２８の操作により設定され、必要に応じて周期的またはランダムに可変することも可能である。電気刺激制御部３３がこのような刺激信号を生成することで、セルライト解消の効果を最適化することができる。
【００４５】
同様に、磁気刺激手段に電磁石１９を使用した場合、磁気刺激制御部３４から電磁石２９に与えられる刺激信号の振幅，周波数，印加タイミングなどは、予め設定スイッチ２８の操作により設定され、必要に応じて周期的またはランダムに可変することも可能である。磁気刺激制御部３４がこのような刺激信号を生成することで、セルライト解消の効果を最適化することができる。
【００４６】
また、異なる部位の施術を行なうために、生体表面と吸引カップ１とを密着させたまま、吸引カップ１を所望の方向に動かしてもよい。生体表面が密着する周辺部１２の端面１２Ａには、どの方向にも回動自在な永久磁石１５が配置されるため、吸引カップ１をスムースに動かすことができる。
【００４７】
一方、吸引カップ１による吸引を中断または停止する場合には、始動・停止スイッチ２３を再度押動操作する。それにより開放用電磁バルブ制御部３１は、開放用電磁バルブ５を開状態にして分岐通路９を開放し、吸引カップ１の中空部１１内と本体２の外部とを連通させて、中空部１１の吸引圧を瞬時に開放する。
【００４８】
また、前記開放用電磁バルブ５を開状態にする直前に、封止用電磁バルブ制御部３２は封止用電磁バルブ６を閉状態にして、空気溜り８を排気経路４から切り離し、この空気溜り８を気圧の低い状態に維持する。そして、吸引の再開時に始動・停止スイッチ２３を再び押動操作すれば、開放用電磁バルブ制御部３１が開放用電磁バルブ５を閉状態にして分岐経路９を閉鎖する一方で、封止用電磁バルブ制御部３２が封止用電磁バルブ６を開状態にして、空気溜り８からポンプ３に至る経路を排気経路４として中空部１１に連通させ、素早く中空部１１を負圧にして吸引状態に復帰させることができる。この場合、前述したように排気手段制御部３０がポンプ３を動作開始させ、排気経路４を通して中空部１４内の空気を本体２の外部に強制的に排出することができる。
【００４９】
このように本実施例では、生体表面に密着して当該生体を吸引する吸引カップ１に、電気刺激手段となる電気刺激電極１４を固定して設けると共に、磁気刺激手段としての例えば永久磁石１５を回動自在に設けている。
【００５０】
この場合、電気刺激電極１４からのイオン導入等を含む低周波や高周波の電気刺激と、永久磁石１５からの磁気刺激が、生体の皮膚及び皮下組織を刺激することで、筋運動や血行促進により刺激部位の基礎代謝を上げると同時に、吸引カップ１により吸引された生体部位の物理的刺激により、生体の皮膚及び皮下組織をさらに刺激し、結果として共通する吸引カップ１で効果的にセルライトを解消することができる。
【００５１】
また、ここでの吸引カップ１は、一端を排気手段であるポンプ３に接続する一方で、他端に開口１１Ａを有した中空部１１と、中空部１１の他端周囲にあって生体表面に密着する端面１２Ａを有する周辺部１２とを備えており、永久磁石１５を周辺部１２に沿って複数配置している。
【００５２】
この場合、使用時に吸引カップ１の周辺部１２を生体表面に密着させて生体を吸引すると、回動自在な永久磁石１５が必ず生体表面に当接することになり、永久磁石１５からの磁気刺激を生体に効果的に与えつつ、回動する永久磁石１５によって吸引カップ１を常にどの方向にも自由に移動させることができる。
【００５３】
また、電気刺激電極１４を周辺部１２若しくは周辺部１２の近傍に配置することで、装置の使用時に吸引カップ１の周辺部１２を生体表面に密着させて生体を吸引すると、電気刺激電極１４も密着若しくはその近傍に自ずと位置することになり、電気刺激電極１４からの電気刺激を生体に効果的に与えることが可能になる。
【００５４】
その他に本実施例では、ポンプ３と吸引カップ１の中空部１１との間に設けた排気経路４に、交換可能なエアフィルタ２６を備えている。
【００５５】
この場合、ポンプ３を動作させて、エアフィルタ２６でゴミやオイル，皮脂，体毛等の異物を除去しながら、吸引カップ１が生体を吸引することにより、ポンプ３が異物を吸い込むのを防いで、吸引不良や故障の頻度を大幅に減少させることができる。また、エアフィルタ２６を排気経路４から交換可能にすることで、異物がつまって吸引能力が低下するのを防ぐことができ、長期間に渡り良好なフィルタ能力を維持できる。
【００５６】
また好ましくは、吸引カップ１の中空部１１と排気経路４との間に永久磁石１５による連結部２７を設け、排気経路４を吸引カップ１の中空部１１から取り外したときに、前記エアフィルタ２６を交換できる構成とする。
【００５７】
こうすれば、連結部２７を利用して中空部１１と排気経路４との脱着機構を簡素化することができ、部品の点数を減らすことができる。また、連結部２７の磁力に抗して、排気経路４を中空部１１から取り外すだけで、その取り外した部分の清掃やエアフィルタの交換作業を容易に行うことが可能になる。
【００５８】
さらに、吸引カップ１の吸引圧を開放する第１の弁手段として、開放電磁バルブ５を吸引カップ１の外部に備えた例えば本体２に配設し、制御手段７ひいては開放電磁バルブ５を操作する操作体としての始動・停止スイッチ２３を、電気刺激電極１４に接続する信号線２２に共用して設けている。
【００５９】
この場合、吸引カップ１内に複雑で故障しやすい機械的な開放電磁バルブ５を設けることなく、吸引カップ１としての信頼性を高めることができる。また始動・停止スイッチ２３を適宜操作すれば、電気刺激電極１４に接続する信号線２２を通じて開放電磁バルブ５を動作させ、吸引カップ１内の吸引圧を速やかに開放することができる。
【００６０】
また本実施例では、ポンプ３により吸引した空気の貯留部としての空気溜り８を、ポンプ３と中空部１１との間に設けた排気経路４に配設すると共に、空気溜り８の吸引圧を維持するように排気経路４を封止する第２の弁手段として封止用電磁バルブ６を設け、この封止用電磁バルブ６は、ポンプ３を動作させるときに排気経路４の封止を解除して、空気溜り８と吸引カップ１とを連通させるように構成している。
【００６１】
この場合、開放電磁バルブ５で吸引カップ１の吸引圧を開放したときに、別な封止用電磁バルブ６が排気通路４の途中を封止して、空気溜り８を気圧の低い状態で維持し、その後でポンプ３を動作させるときに、封止用電磁バルブ６によって空気溜り８と吸引カップ１とを連通させることで、空気溜り８の負圧を利用して吸引カップ１による吸引圧の立ち上がりを高速にすることができる。
【００６２】
さらに、上記実施例において、吸引カップ１を透明もしくは半透明の素材で構成してもよく、吸引カップ１を通して生体の吸着状態を目視で確認しながら施術することで、吸引レベルが適正であるか否かを容易に判断できる。また、その判断に基づいて、例えば設定スイッチ２８を操作しながらポンプ３による吸引レベルを調整できれば、セルライト解消の施術効率を向上させることができる。
【００６３】
以上、本発明を実施例に基づいて説明したが、本発明は上記実施例に限定されるものではなく、本発明の趣旨を逸脱しない範囲で種々の変更実施が可能である。例えば、本実施例においては、始動・停止スイッチ２３をエアホース２１に配置したが、これを吸引カップ１や本体２に配置してもよい。これは、他の例えば設定スイッチ２８についても、同じことがいえる。
【符号の説明】
【００６４】
１  吸引カップ
２  本体
３  ポンプ（排気手段）
４  排気経路
５  開放用電磁バルブ（第１の弁手段）
６  封止用電磁バルブ（第２の弁手段）
８  空気溜り（貯留部）
１１  中空部
１２  周辺部
１４  電気刺激電極（電気刺激手段）
１５  永久磁石（磁気刺激手段）
２２  信号線（信号路）
２３  始動・停止スイッチ（操作体）
２６  エアフィルタ
２９  電磁石（磁気刺激手段）
【図１】
2011045610.tif 000003
【図２】
2011045610.tif 000004
【図３】
2011045610.tif 000005
【図４】
2011045610.tif 000006